(57)【要約】【課題】ペットボトル等の容器に入っている飲料水等を収納、冷却、保温を可能とし、筒体に収納したペットボトル等及び傘の取り出しを容易とした自動車内雨傘収納乾燥装置をを提供する。【解決手段】自動車のインストルメントパネル１の左右側又はそのいずれか一方に、空調ユニットと配管接続され、かつ排水口を備えた雨傘及び飲料水等の容器を収納する筒体３を車両前後方向に配置し、この筒体３内に半球形状の籠７を車両前後方向に移動可能に挿入し、この籠７にはワイヤ８が結合されており、このワイヤ８を巻き取って籠７を車両後方へ移動させるための電動巻き取り部９を備えた。【選択図】図２
2008296651.tif 000002
【特許請求の範囲】
【請求項１】
自動車のインストルメントパネルの左右側又はそのいずれか一方に、空調ユニットと配管接続され、かつ排水口を備えた雨傘及び飲料水等の容器を収納する筒体を車両前後方向に配置し、この筒体内に半球形状の籠を車両前後方向に移動可能に挿入し、この籠にはワイヤが結合されており、このワイヤを巻き取って籠を車両後方へ移動させるための電動巻き取り部を備えていることを特徴とする自動車内雨傘収納乾燥装置。
【請求項２】
前記配管は、空調ユニットから筒体に供給された温風又は冷風を車外への排出経路と、筒体から出た温風又は冷風を空調ユニットに環流する循環経路とから構成され、前記両経路の何れかに切り換えるための切換弁を備えたことを特徴とする請求項１に記載の自動車内雨傘収納乾燥装置。
【発明の詳細な説明】
【技術分野】
【０００１】
本発明は、ペットボトル等の容器に入っている飲料水等を収納、冷却、保温を可能とした自動車内雨傘収納乾燥装置に関するものである。
【背景技術】
【０００２】
従来、自動車のインストルメントパネルに飲料水等を収納したペットボトルを収納可能とした自動車内雨傘収納装置が特開２００２−８７１７１公報で提供されている。また、空調装置からの温風又は冷風により濡れた雨傘を乾燥する自動車用雨傘乾燥装置が実開平０５−０２８７５４公報で提供されている。
【０００３】
上記特開２００２−８７１７１公報の自動車内雨傘収納装置はペットボトルを収納可能としているが、雨傘を収納する長い筒状部に収納した傘やペットボトルを取り出す手段は設けらておらず、筒状部に収納した傘やペットボトルの取り出しに困難性を有している。また、実開平０５−０２８７５４公報の自動車用雨傘乾燥装置は空調装置からの温風又は冷風により濡れた雨傘を乾燥することはできるが、飲料水等を収納したペットボトルを収納、冷却、保温することはできない。
【特許文献１】実開平０５−０２８７５４公報
【特許文献２】特開平０９−２７７８７９公報
【特許文献３】特開２００２−８７１７１公報
【発明の開示】
【発明が解決しようとする課題】
【０００４】
本発明の目的は、ペットボトル等の容器に入っている飲料水等を収納、冷却、保温を可能とし、筒体に収納したペットボトル等及び傘の取り出しを容易とした自動車内雨傘収納乾燥装置を提供することである。
【課題を解決するための手段】
【０００５】
上記の目的を達成するための本発明は、請求項１に記載の通り、自動車のインストルメントパネルの左右側又はそのいずれか一方に、空調ユニットと配管接続され、かつ排水口を備えた雨傘及び飲料水等の容器を収納する筒体を車両前後方向に配置し、この筒体内に半球形状の籠を車両前後方向に移動可能に挿入し、この籠にはワイヤが結合されており、このワイヤを巻き取って籠を車両後方へ移動させるための電動巻き取り部を備えていることを特徴とするものである。
【０００６】
請求項２に記載の通り、請求項１に記載の自動車内雨傘収納乾燥装置において、配管は、空調ユニットから筒体に供給された温風又は冷風を車外への排出経路と、筒体から出た温風又は冷風を空調ユニットに環流する循環経路とから構成され、前記両経路の何れかに切り換えるための切換弁を備えたことを特徴とするものである。
【発明の効果】
【０００７】
本発明によると、筒体に収納された雨傘を効率良く乾燥することができ、また、電動巻き取り部によりワイヤを巻き取ることにより籠を筒体の入り口に向かって引き寄せることで傘や飲料水等の容器を筒体の入り口に移動して筒体に収納したペットボトル等及び傘の取り出しが容易に得られる効果を有している。
【発明を実施するための最良の形態】
【０００８】
以下本発明を実施するための最良の形態について図面に基づいて説明する。図１において１は自動車のインストルメントパネルである。本発明の雨傘収納乾燥装置２は前記インストルメントパネル１の左右側又はそのいずれか一方に配置される。
【０００９】
以下その具体的な構成を図２乃至図４により説明する。本発明の必須構成としては、前記インストルメントパネル１の左右側又はそのいずれか一方に、空調ユニットと配管接続され、かつ排水口６を備えた雨傘及び飲料水等の容器を収納する筒体３を車両前後方向に配置し、この筒体３内に半球形状の籠７を車両前後方向に移動可能に挿入し、この籠７にはワイヤ８が結合されており、このワイヤ８を巻き取って籠７を車両後方へ移動させるための電動巻き取り部９を備えていることである。図２において、符号１１は開閉可能な蓋を示す。
【００１０】
前記筒体３の外面には断熱材１４が施され、内面には傘から滴下する雨水を前記排水口６に向かって誘導する螺旋状の排水溝１３を有したスリーブが嵌装されている。前記排水口６には逆止弁６ｂを嵌合したドレンホース６ａが嵌め込まれている。
【００１１】
前記籠７は筒体３内に筒体３の軸線方向に配置されたガイドレール１２により筒体３内で車両前後方向に移動可能に案内されており、この籠７に結合したワイヤ８の電動巻き取り部９は図示しないモータをインストルメントパネル１の前面に配置したスイッチ１０により運転／停止を操作するようにしている。
【００１２】
次に、空調ユニット１５と筒体３との配管接続構成について図５及び図６で説明する。符号４は空調ユニット１５から筒体３に温風又は冷風を供給する第１ダクトであり、符号５は空調ユニット１５から筒体３に供給される温風又は冷風を車外に排出又は第３ダクト１６を介して空調ユニット１５に還流する第２ダクトであり、この第２ダクト５には車外への排出と第３ダクト１６とに流れを切り換える切換弁１７が設けられている。尚、前記空調ユニット１５の運転／停止は図３で示す作動スイッチ１９にて行う。
【００１３】
すなわち、前記第２ダクト５は筒体３に供給される温風又は冷風を車外への排出経路であり、また、第２ダクト５と接続した第３ダクト１６は筒体から出た温風又は冷風を空調ユニット１５に環流する循環経路を構成している。
【００１４】
前記筒体３に供給される温風又は冷風を第２ダクト５から車外への排出と第３ダクト１６とに流れを切り換える切換弁１７の９０度旋回させる機構は、図３で示す切換スイッチ１８により空調ユニット１５内に設けられているモータ（図略）にて図６で示すように切換弁１７に連結しているワイヤ１８ａを送り出し／巻き取りを行って切換弁１７を回転軸１７ａを中心にして９０度旋回させるようにしている。
【００１５】
本発明は上記の通りの構造であるから、車内に持ち込んだ雨水等で濡れた傘は雨傘収納乾燥装置２の筒体３内に挿入して収納し、かつ乾燥する。傘を筒体３内へ挿入することにより、筒体３内に存在する籠７を傘先で筒体３の先端方向に押動し、ワイヤ８は籠３の先端方向への移動に追従し電動巻き取り部９から巻き戻されて延長する。
【００１６】
前記筒体３内に収納された傘の乾燥について説明する。傘から滴下する雨水は筒体３の内面に嵌装されているスリーブの螺旋状の排水溝１３に落下し排水口６にに誘導され逆止弁６ｂを通過してドレンホース６ａより車外に排出される。
【００１７】
この雨水の排出と同時に切換弁１７を第３ダクト１６の方向に旋回して第３ダクト１６を閉鎖し第２ダクト５を開放状態にする。この状態で空調ユニット１５からの温風又は冷風を第１ダクト４を介して筒体３内に供給し、温風又は冷風によって傘を乾燥する。傘に接触して湿分を含んだ温風又は冷風は第２ダクト５よりフェンダの空間を経て車外に排出される。
【００１８】
筒体３内に収納された傘を取り出すには、インストルメントパネル１の前面に配置したスイッチ１０により電動巻き取り部９を運転／停止を操作してワイヤ８を巻き取ることにより籠７が車両後方に移動して傘の柄を筒体３より取り出し易い位置に移動する。
【００１９】
本発明は傘を収納乾燥しない場合には飲料水等の収納、冷却、保温を可能とする。これは飲料水等のペットボトルや缶等の容器を筒体３内に挿入して籠７にて受け止めて収納する。この場合も筒体３内に存在する籠７をペットボトルや缶等の容器で筒体３の先端方向に押動し、ワイヤ８は籠３の先端方向への移動に追従し電動巻き取り部９から巻き戻されて延長する。この際は切換弁１７を第２ダクト５の方向に旋回して第２ダクト５を閉鎖し第３ダクト１６を開放する。
【００２０】
これにより、空調ユニット１５からの冷風又は温風は第１ダクト４を介して筒体３内に供給し、温風又は冷風によってよって飲料水等を冷却、保温する。飲料水等を冷却、保温した温風又は冷風は第２ダクト５から第３ダクト１６に流され、第３ダクト１６から空調ユニット１５に環流する循環作用を行う。
【００２１】
この筒体３内に収納した飲料水等のペットボトルや缶等の容器を取り出すには、前記傘の取り出しと同様にインストルメントパネル１の前面に配置したスイッチ１０により電動巻き取り部９を運転／停止を操作してワイヤ８を巻き取ることにより籠７が車両後方に移動してペットボトルや缶等の容器は筒体３より取り出し易い位置に移動する。
【００２２】
このように本発明は、筒体３に収納された雨傘より滴下する雨水は筒体３の内面に嵌装されているスリーブの螺旋状の排水溝１３により排水口６に向かって誘導して速やかに車外に排出され、また、空調ユニット１５から筒体３に供給される温風又は冷風によって乾燥されるが、傘に接触した湿分を含んだ温風又は冷風を排出経路にて車外に排出するため筒体３内は湿分がこもることなく常に乾いた雰囲気状態が維持され傘を迅速且つ確実に乾燥することができる。
【００２３】
また、筒体３は前記傘の収納と乾燥の他に飲料水等のペットボトルや缶等の容器の収納と保温又は冷却を可能とし、しかも、空調ユニット１５から筒体３に供給される温風又は冷風を筒体３から空調ユニット１５に環流して筒体３に供給する循環をさせているため飲料水等のペットボトルや缶等の容器は効率よく保温又は冷却される。さらに、筒体３に収納された傘や飲料水等のペットボトルや缶等の容器は籠７を電動巻き取り部９にてワイヤを巻き取り車両後方へ移動させることにより筒体３の入口の取り出し易い部位に位置させることができる利便性を有している。
【図面の簡単な説明】
【００２４】
【図１】本発明装置を備えたインストルメントパネルの正面図
【図２】本発明装置の斜視図
【図３】図１のＡ−Ａ断面図
【図４】図３のＢ部及びＣ部の拡大詳細図
【図５】配管構成を示す平面図
【図６】図５のＤ矢視部の拡大詳細図
【符号の説明】
【００２５】
１    インストルメントパネル
２    雨傘収納乾燥装置
３    筒体
４    第１ダクト
５    第２ダクト
６    排水口
６ａ  ドレンホース
６ｂ  逆止弁
７    籠
８    ワイヤ
９    電動巻き取り部
１０    スイッチ
１１    蓋
１２    ガイドレール
１３    螺旋状の排水溝
１４    断熱材
１５    空調ユニット
１６    第３ダクト
１７    切換弁
１７ａ  回転軸
１８    切換スイッチ
１８ａ  ワイヤ
１９    作動スイッチ
【図１】
2008296651.tif 000003
【図２】
2008296651.tif 000004
【図３】
2008296651.tif 000005
【図４】
2008296651.tif 000006
【図５】
2008296651.tif 000007
【図６】
2008296651.tif 000008